(57)【特許請求の範囲】
【請求項１】
地中に配設された排水桝の地上開口端を閉じる蓋に通孔を設け、この通孔を防虫する排水桝用防虫具において、前記排水桝用防虫具は、上下端が開口した筒部と前記筒部から下方に延出するとともに下端が閉じるように付勢された袋部とからなり、前記袋部は蚊などが通過できないが雨水を通過させる網目の網から構成して、排水桝の内下方に垂下させると共に、前記袋部の閉じられた下端を前記蓋の通孔から進入した小石等の重みで開放するようにしたことを特徴とする排水桝用防虫具。
【請求項２】
前記筒部は蓋の通孔の周縁に装着することを特徴とする請求項１記載の排水桝用防虫具。
【請求項３】
前記袋部の下部を湾曲させたことを特徴とする請求項１又は２項に記載の排水桝用防虫具。
【請求項４】
前記袋部に湾曲した芯材を設け、前記心材と共に袋部の下部を湾曲させたことを特徴とする請求項１から３の何れか１項に記載の排水桝用防虫具。
【請求項５】
前記袋部の網自体をばね材で構成し、前記袋部の下部を湾曲させたことを特徴とする請求項１から３の何れか１項に記載の排水桝用防虫具。
【請求項６】
請求項１から５の何れか１項に記載の排水桝用防虫具を有する防虫具付排水桝。
【請求項７】
請求項１から５の何れか１項に記載の排水桝用防虫具を有する防虫具付排水桝の蓋。
【請求項８】
地中に配設された排水桝の地上開口端を閉じる通孔を有する蓋に装着する排水桝用防虫具において、上下端が開口した筒部と前記筒部から下方に延出するとともに下端を閉じた袋状からなり、袋部は蚊などが通過できない網目の網、又は蚊などが通過できない複数個の小孔を有するフイルム又は板材からなり、前記袋部を排水桝の内下方に垂下させたことを特徴とする排水桝用防虫具。
【発明の詳細な説明】
【技術分野】
【０００１】
本発明は、道路の側溝や家庭等の敷地内の地中に設置される排水桝に用いる排水桝用防虫具に関する。
【背景技術】
【０００２】
道路の側溝や家庭等の敷地内の地中に設置される排水桝は、地上開口端を閉じる通孔を有する蓋が嵌められているので、宅地や道路上等に降った雨水は蓋の通孔から排水桝内に溜められ、その排水桝から排水管を介して所定の場所に排水される。又、台所からの排水等は、排水管から排水桝内に溜められ、同様にその排水桝から排水管を介して所定の場所に排水される。このような構成の排水桝にあっては、排水桝の地上開口を覆う蓋の通孔から排水桝へ雨水が流入する一方、例えば蚊やその卵が前記通孔から排水桝へ侵入し、排水桝内の溜まり水内で蚊の幼虫のボウフラが湧き羽化して蚊が発生して前記通孔から飛び出す原因となる。同様に、排水桝内で発生したゴキブリや２ｍｍ程度の大きさの子蠅等の害虫が前記通孔から飛び出して家の敷地内や公園等で繁殖させる原因になり衛生上好ましくない。又、各種排水や雨水が排水桝内に溜まった溜まり水の悪臭が蓋の通孔から放たれて、環境を悪化させる原因となる。
【０００３】
そこで、蓋の通孔から地上へ蚊等が出入りするのを阻止する排水桝用防虫具が種々提案されている。
【０００４】
例えば、特許文献１のように、防蚊ネットを雨水桝（以下、排水桝という）の蓋の形状に合わせて鋏等で自在に裁断して蓋受枠全面に敷いたり、蓋裏にたわみや隙間が起きないように両面接着テープ又はガムテープで接着する排水桝用防虫具が提案されており、特許文献２のように、排水桝の蓋の通孔を覆うようにして蓋下面に網を装着する排水桝用防虫具が提案されている。
【０００５】
又、特許文献３のように、道路の側溝や家庭等の敷地に設置される排水桝内の溜まり部において蚊等が発生するのを防止し、かつ、排水桝内から臭気が放たれてその飛散を遮蔽することができる排水桝として、排水桝の内部に傾斜片のある鉄板、ステンレス板、アルミニウム、合成樹脂或いはＦＲＰ等で製作された中蓋をばね力で閉じ状態として開閉自在に設けて、その閉じ姿勢の中蓋で桝蓋の排水孔（蓋の通孔に相当）から排水桝内に浸入した雨水を堰き止めてその雨水が一定量を越えて一定以上の重力によってばね力に抗して傾斜片を開放可能に構成して、桝蓋の排水孔から蚊が侵入しても蚊が水溜まりに卵を産み、排水桝から蚊が発生するのを防止し、かつ、臭気の漏洩も防止する排水桝用防虫具が提案されている。
【０００６】
【特許文献１】特開２００３−１３４９０号公報
【特許文献２】特開平７−１２７１２０号公報
【特許文献３】特開２００２−２０１７０４号公報
【発明の開示】
【発明が解決しようとする課題】
【０００７】
しかしながら、特許文献１および特許文献２のような排水桝用防虫具の提案では、蓋の通孔から落ち葉や土砂等が防蚊ネット又は網に留まりやすく降った雨水を排出する機能が損なわれるので、常に防蚊ネット又は網の網目を掃除する必要があり、防蚊ネット又は網と蓋との接着がはがれる恐れもある。一方、網目から排水桝内の溜まり水の悪臭が通過するという問題がある。又、特許文献３のような排水桝用防虫具の提案では、排水桝内からの臭気の飛散を少なくすることはできるが、雨水が増水した場合、排水管から逆流した雨水で中蓋が破損しないようにする必要があり、又、雨水を堰き止めるようにする格別な閉じ手段が必要であり、高価な排水桝用防虫具となるという問題がある。又、一定量以上の重力によって開放する構成のため、少量の雨水が溜って蚊が繁殖する恐れがある。
【０００８】
本発明は、このような問題を解決するためになされたもので、簡単な構成で道路の側溝や家庭等の敷地内の地中に設置される排水桝の内部から蚊等が蓋の通孔を介して地上へ飛び出すこと、又は排水桝内に侵入することを防止し、さらには、内部からの臭気の飛散を少なくすることができる排水桝用防虫具を提供することを目的とする。
【課題を解決するための手段】
【０００９】
上記目的を達成するために、本発明の請求項１の排水桝用防虫具では、地中に配設された排水桝の地上開口端を閉じる蓋に通孔を設け、この通孔を防虫する排水桝用防虫具において、前記排水桝用防虫具は、上下端が開口した筒部と前記筒部から下方に延出するとともに下端が閉じるように付勢された袋部とからなり、前記袋部は蚊などが通過できないが雨水を通過させる網目の網から構成して、排水桝の内下方に垂下させると共に、前記袋部の閉じられた下端を前記蓋の通孔から進入した小石等の重みで開放するようにしたことを特徴とする。
【００１１】
請求項２の発明においては、請求項１記載の排水桝用防虫具で、前記筒部は蓋の通孔の周縁に装着することを特徴とする。
【００１６】
請求項３の発明においては、請求項１又は２項に記載の排水桝用防虫具で、前記袋部の下部を湾曲させたことを特徴とする。又、請求項４の発明においては、請求項１から３の何れか１項に記載の排水桝用防虫具で、前記袋部に湾曲した芯材を設け、前記心材と共に袋部の下部を湾曲させたことを特徴とする。又、請求項５の発明においては、請求項１から３の何れか１項に記載の排水桝用防虫具で、前記袋部の網自体をばね材で構成し、前記袋部の下部を湾曲させたことを特徴とする。
【００１７】
請求項６の発明において、防虫具付排水桝は、請求項１から５の何れか１項に記載の排水桝用防虫具を有することを特徴とする。
【００１８】
請求項７において防虫具付排水桝の蓋は、請求項１から５の何れか１項に記載の排水桝用防虫具を有することを特徴とする。又、請求項８において、排水桝用防虫具は、地中に配設された排水桝の地上開口端を閉じる通孔を有する蓋に装着する排水桝用防虫具において、上下端が開口した筒部と前記筒部から下方に延出するとともに下端を閉じた袋状からなり、袋部は蚊などが通過できない網目の網、又は蚊などが通過できない複数個の小孔を有するフイルム又は板材からなり、前記袋部を排水桝の内下方に垂下させたことを特徴とする。
【発明の効果】
【００１９】
地中に配設された排水桝の地上開口端を閉じる蓋に通孔を設け、この通孔を防虫する排水桝用防虫具において、前記排水桝用防虫具は、上下端が開口した筒部と前記筒部から下方に延出するとともに下端が閉じるように付勢された袋部とからなり、前記袋部は蚊などが通過できないが雨水を通過させる網目の網から構成して、排水桝の内下方に垂下させると共に、前記袋部の閉じられた下端を前記蓋の通孔から進入した小石等の重みで開放するようにしているので、簡単な構成で排水桝の内部から蚊等が蓋の通孔を介して地上へ飛び出すこと、又は排水桝内に侵入することを防止することができる。又、袋部を垂下させることにより通孔より進入した泥土や砂等などで袋部が目詰まりしても雨水とともに下部開口より桝内に流れ落ち目詰まりを防ぐことで宅地や道路上等に降った雨水の排出機能を損なわない。又、前記袋部を蚊等が通過できないフイルムとすることにより、簡単な構成で、排水桝の内部からの臭気の飛散を少なくすることができ、良好な環境衛生を維持することができる。さらに、蚊等の害虫の発生がなくなってむやみに殺虫剤を散布する必要がなくなるので、環境を汚染することがない。
【発明を実施するための最良の形態】
【００２０】
以下、本発明の実施形態について図面を参照して説明する。
【００２１】
（実施形態１）
図１から図６は、本発明の実施形態１を示し、排水桝用防虫具４が排水桝１の蓋２の所定位置である蓋２の通孔３に装着される排水桝用防虫具である。
【００２２】
図１および図２において、１は道路の側溝や家庭等の敷地内の地中に設置される地上開口端のある排水桝で、この地上開口端には正方形でコンクリート製の蓋２が嵌め込まれている。この蓋２には上面から下面に向かって貫通した２つの長孔形状を例とする通孔３が形成されている。又、排水桝１の底付近の両側壁には排水管１０、１０が設けられており、一方の排水管１０から他方の排水管１０に雨水や各種排水等が次の排水桝１等に排水され、一部は排水桝１の底に溜まり水９となって溜まる。
【００２３】
蓋２の各通孔３には地上側から排水桝用防虫具４が装着されて、防虫具付排水桝を構成している。
【００２４】
図３から図６において、この排水桝用防虫具４は上下端が開口した筒部５と筒部５から下方に延出するとともに下端が閉じるように付勢された袋部６とでできている。
【００２５】
筒部５は蓋２の通孔３の長孔形状に対応して長辺と短辺とからなる上下端が開口した形状で、蓋２の通孔３に装着される。この筒部５の外周側面に弾力性のあるシリコンゴム等の突起８が設けられており、筒部５が蓋２の通孔３の内側面に押圧しながら装着させてその装着がより確実にできるようにしている。この突起８に代えて筒部５自体を肉厚の薄いステンレス鋼板、ばね鋼板等の金属の板ばね材やばね特性を有する合成樹脂の板材のような弾力性のある材質で構成して蓋２の通孔３の内側面に押圧しながら装着するようにしてもよい。さらに、この筒部５の上端の周囲に通孔３よりも大きい筒部５の外側に延びた鍔５Ａを形成することにより、筒部５を蓋２の通孔３に地上側から挿入して前記通孔３の上端（蓋２の外面）に保持されて装着ができるようにしている。又、筒部５の開口には落ち葉が後述する袋部６内に入り込み難くするように格子７が設けられている。
【００２６】
一方、袋部６は直径１ｍｍ程度で目開き１．５ｍｍ程度の網でできており、筒部５の下端に筒部５の形状に対応して長辺と短辺とからなる筒状体となって一体化されている。その袋部６の角部にはピアノ線やばね用ステンレス鋼線等のばね材やばね特性を有する合成樹脂でできた芯１２が設けられている。袋部６の下部には芯１２の一部とともに湾曲させて袋部６の下端が閉じるように付勢する湾曲部６１が形成されている。この場合、網自体にも上記芯材１２のようなピアノ線やばね用ステンレス鋼線等のばね材で構成して、袋部６の下端が閉じるように付勢する湾曲部６１を形成してもよい。
【００２７】
上記湾曲部６１の設計は、図６に示すように袋部６の下端を蓋２の通孔３から進入した小石１１等の重みで開放し、通常は、袋部６の下部を湾曲させて閉じるように付勢することができるように弾性値を設定すればよい。なお小石等とは泥土・砂・ゴミ等のことである。
【００２８】
排水桝用防虫具４は、袋部６と筒部５とを一体化して構成されており、筒部５が蓋２の各通孔３に装着されて排水桝１の内下方に袋部６が垂下される。この筒部５の突起８や筒部５自体の材質で筒部５に弾力性をもたせることにより、排水桝用防虫具４を蓋２の通孔３に押圧しながら装着するので着脱可能となり、排水桝用防虫具４の袋部６に留まった落ち葉や泥土等を除去する掃除の作業性がよくなる。なお、この実施形態では、蓋２の各通孔３にそれぞれ排水桝用防虫具４を個々に挿入しているが、上記筒部５を連結して蓋２の通孔３の数量の袋部６を一体化した排水桝用防虫具４とすれば、蓋２の各通孔３への挿入作業が簡単になる。又、着脱可能とすることにより、取り外して掃除ができるので下端部を開口せず閉じてもよい。
【００２９】
図７は、蓋２の矩形状の通孔３に対応した筒部５が形成された排水桝用防虫具４であり、その構成や蓋２の通孔３への装着は上記実施形態１と同じである。
【００３０】
図８、図９は排水桝用防虫具４で、筒部５から下方に延出する袋部６を伸縮性のある網とすることで下端部の相対する面が接触し下端部が閉じるように構成し、小石等が落下し易いように袋部６の下部にスリット１３を設けたものである。筒部５の構成や蓋２の通孔３への装着は上記実施形態１と同じである。
【００３１】
（実施形態２）
図１０から図１３は、本発明の実施形態１と同様に、排水桝用防虫具４が蓋２の所定位置である蓋２の略円形の通孔３に装着される実施形態である。
【００３２】
実施形態１では、袋部６の網は蚊等が通過できない網目を複数個の小孔としているが、この網に代えて、袋部６は蚊等が通過できない肉厚の薄いフイルムとし、筒部５はステンレス鋼板、ばね鋼板等の金属製の板ばね材やばね特性を有する合成樹脂のような弾力性のある材質でできている。又、袋部６の下部６１を湾曲させて閉じるように付勢している。このように袋部６をフイルムとすることにより、蓋２の通孔３からの落ち葉や小石等の落下物が引っ掛かることなくスムーズに落下させることができる。なお、袋部６を筒部５と同じ材料で一体成形してもよい。
【００３３】
（実施形態３）
図１４から図１９は本発明の実施形態３を示し、排水桝用防虫具４が蓋２の所定位置である蓋２の外周壁に装着される排水桝用防虫具である。
【００３４】
図１４から図１６において、地中に配設され地上開口端のある排水桝１の地上開口端には略正方形で金属製の蓋２が開閉自在に嵌め込まれている。この蓋２の通孔３は格子状に枠組みされている。又、排水桝１の両側には排水管１０、１０が設けられており、一方の排水管１０から他方の排水管１０に雨水や各種排水等が次の排水桝１等に排水され、一部は排水桝１の底に溜まり水９となって溜まる。
【００３５】
排水桝用防虫具４は蓋２の外周壁に装着されて、袋部６を排水桝１の内下方に垂下させて防虫具付排水桝を構成している。
【００３６】
図１７から図１９において、この排水桝用防虫具４は上下端が開口した筒部５と筒部５から下方に延出するとともに下端が閉じるように付勢された袋部６とでできている。実施形態１と同様に、袋部６は直径１ｍｍ程度で目開き１．５ｍｍ程度の網でできており、蓋２の大きさに相当する正方形の筒状体となっている。その袋部６の角部にはピアノ線やばね用ステンレス鋼線のばね材やばね特性を有する合成樹脂でできた芯１２が設けられている。袋部６の下部には芯１２の一部とともに湾曲させて袋部６の下端が閉じるように付勢する湾曲部６１が形成されている。この場合、網自体にも上記芯材１２のようなピアノ線やばね用ステンレス鋼線等のばね材で構成して、袋部６の下端が閉じるように付勢する湾曲部６１を形成してもよい。
【００３７】
一方、筒部５は蓋２の形状(正方形) に対応した形状で、肉厚の薄いステンレス鋼板、ばね鋼板等の金属の板ばね材やばね特性を有する合成樹脂の板材のような弾力性のある材質でできており、蓋２の外周壁と排水桝１の地上開口端との隙間から蓋２の上面に鍔５Ａが掛止されるようにして排水桝用防虫具４が蓋２の外周壁に装着されている。又、筒部５の開口には落ち葉が袋部６内に入り込み難くするように格子７を設けてもよい。
【００３８】
上記袋部６の網は蚊等が通過できない網目を複数個の小孔としているが、実施形態１と同様に、この網に代えて、蚊等が通過できない複数個の小孔が形成された肉厚の薄いフイルムとして、上記芯１２と組み合わせる構成やこのフイルム自体を肉厚の薄いステンレス鋼板、ばね鋼板等の金属の板ばね材やばね特性を有する合成樹脂の板材のような弾力性のある材質で筒部５と一体とした構成で、袋部６の下部を湾曲させて閉じるように付勢するようにしてもよい。このようにフイルムとすることにより、蓋２の通孔３からの落ち葉や小石等の落下物が引っ掛かることなくスムーズに落下させることができる。
【００３９】
（使用方法）
上記実施形態１および２の排水桝用防虫具４は、道路の側溝や家庭等の敷地内の地中に設置された排水桝１に蓋２を閉じた状態で、排水桝用防虫具４を蓋２の通孔３に挿入して装着することにより、又、実施形態３の排水桝用防虫具４は、道路の側溝や家庭等の敷地内の地中に設置された排水桝１に対してその蓋２を開いて排水桝用防虫具４を蓋２の外周に装着して後、蓋２を閉じた状態で、それぞれ排水桝用防虫具４として利用できる。さらに、この実施形態３の排水桝用防虫具４を実施形態１又は２の排水桝用防虫具４と併用して使用することにより、実施形態１又は２の排水桝用防虫具４を蓋２の通孔３から取り外して袋部６を掃除する際に、排水桝の内部から蚊等が排水桝から地上へ飛び出すことを防止することができる。
【産業上の利用可能性】
【００４０】
本発明の排水桝用防虫具は、道路の側溝や家庭等の敷地内の地中に設置された排水桝のみでなくこれに類する害虫が発生する恐れのある容器に装着して防虫具としても応用できる。
【図面の簡単な説明】
【００４１】
【図１】本発明の実施形態１の使用状態を示す図２のａ−ａ’断面図である。
【図２】本発明の実施形態１の使用状態を示す平面図である。
【図３】本発明の実施形態１を示す平面図である。
【図４】図３のｄ−ｄ’断面図である。
【図５】図３のｅ−ｅ’断面図である。
【図６】図５にて本発明の実施形態１の動作状態を示す断面図である。
【図７】本発明の実施形態１の変形例を示す斜視図である。
【図８】本発明の実施形態１の変形例を示す図３のd-d’断面図である。
【図９】本発明の実施形態１の変形例を示す図３のe-e’断面図である。
【図１０】本発明の実施形態２の平面図である。
【図１１】図１０のｈ−ｈ’断面図である。
【図１２】図１０のｉ−ｉ’断面図である。
【図１３】本発明の実施形態２の斜視図である。
【図１４】本発明の実施形態３の使用状態を示す図１６のｂ−ｂ’断面図である。
【図１５】本発明の実施形態３の使用状態を示す図１６のｃ−ｃ’断面図である。
【図１６】本発明の実施形態３の使用状態を示す平面図である。
【図１７】本発明の実施形態３を示す平面図である。
【図１８】図１７のｆ−ｆ’断面図である。
【図１９】図１７のｇ−ｇ’断面図である。
【符号の説明】
【００４２】
１  排水桝
２  蓋
３  通孔
４  排水桝用防虫具
５  筒部
６  袋部
７  格子
８  突起
９  溜まり水
１０排水管
１１小石
１２芯
１３スリット
６１湾曲部
【要約】
【目的】本発明は、地中に配設された排水桝の地上開口端を閉じる通孔を有する蓋の通孔から地上へ蚊等が飛び出すこと、又は排水桝内に蚊等が侵入することを防ぎさらには、悪臭が放たれるのを防ぐ防虫具を簡単な構成で提供する。
【解決手段】本発明の排水桝用防虫具４は、上下端が開口した筒部５と筒部５から下方に延出するとともに下端が閉じるように付勢された網やフイルムでできた袋部６とからなり、筒部５を蓋２の通孔３や蓋２の外周壁の所定位置に装着して排水桝１の内下方に垂下させるとともに袋部６の下端を蓋２の通孔３から進入した小石等の重みで開放するようにした。
【選択図】  図１【図１】
0004322307.tif 000002
【図２】
0004322307.tif 000003
【図３】
0004322307.tif 000004
【図４】
0004322307.tif 000005
【図５】
0004322307.tif 000006
【図６】
0004322307.tif 000007
【図７】
0004322307.tif 000008
【図８】
0004322307.tif 000009
【図９】
0004322307.tif 000010
【図１０】
0004322307.tif 000011
【図１１】
0004322307.tif 000012
【図１２】
0004322307.tif 000013
【図１３】
0004322307.tif 000014
【図１４】
0004322307.tif 000015
【図１５】
0004322307.tif 000016
【図１６】
0004322307.tif 000017
【図１７】
0004322307.tif 000018
【図１８】
0004322307.tif 000019
【図１９】
0004322307.tif 000020